(57)【要約】【課題】工事現場での過酷な条件で使用される水中ポンプ等においても有効に機能するよう、水密状に且つ強固に装着することのできるＩＣタグの装着構造を提供する。【解決手段】ＩＣタグの被装着体の上面から有底有端の陥溝２を凹設し、該陥溝２の溝底上にＩＣタグ３の支持座４を傾斜状に凸設し、該支持座４の上縁に沿ってＩＣタグ３を傾斜状に支承させ、支持座４の下傾端部周辺に充填剤の流入間隙６ａを保有させると共に上傾端部周辺に空気の排気間隙６ｂを保有させた状態により、陥溝２内へ充填剤を充填させてＩＣタグ３の周辺を水密状にモールドする。【選択図】        図５
2005201201.tif 000002
【特許請求の範囲】
【請求項１】
ＩＣタグの被装着体の上面から有底有端の陥溝を凹設し、該陥溝の溝底上にＩＣタグの支持座を傾斜状に凸設し、該支持座の上縁に沿ってＩＣタグを傾斜状に支承させ、支持座の下傾端部周辺に充填剤の流入間隙を保有させると共に上傾端部周辺に空気の排気間隙を保有させた状態により、陥溝内へ充填剤を充填させてＩＣタグの周辺を水密状にモールドしたことを特徴とする、ＩＣタグの装着構造。
【請求項２】
支持座の下傾端部および上傾端部にはＩＣタグの位置決め用凸起が設けられており、充填剤の流入間隙は下傾端部の位置決め用凸起の両側部に保有され、空気の排気間隙は上傾端部の位置決め用凸起の両側部に保有されていることを特徴とする、請求項１記載のＩＣタグの装着構造。
【請求項３】
支持座の上縁に沿って傾斜状に支持されるＩＣタグが、鞍形に曲成されていることを特徴とする、請求項１または請求項２記載のＩＣタグの装着構造。
【請求項４】
ＩＣタグの被装着体が、小型水中ポンプの提手であることを特徴とする、請求項１ないし請求項３記載のＩＣタグの装着構造。
【発明の詳細な説明】
【技術分野】
【０００１】
本発明は、主としてレンタル用の小型水中ポンプを対象とした、ＩＣタグの装着構造に関するものである。
【背景技術】
【０００２】
マンホール蓋などの蓋体に、管理情報を入力したＩＣタグを装着することは既に行われている(例えば、特許文献１参照）。装着スペースを広く確保できるマンホール蓋などでは、アンテナ面積の大きなＩＣタグを装備することが容易である。しかしレンタル用の小型水中ポンプのように、広い装着スペースを確保できない物品では、表面積の大きなＩＣタグが使用できなため、例えば管理札を水中ポンプの提手にワイヤーでぶら下げたり、或いは提手の上面に装着するなどの方法が採られており、工事現場での過酷な使用によって管理札の破損や紛失を生じ、或いは泥やセメント等による汚損等により、レンタル管理に必要な標記情報が得られなくなるというおそれがある。
【特許文献１】特開２００１−１３２００２号公報（要約）
【発明の開示】
【発明が解決しようとする課題】
【０００３】
解決しようとする課題は、広い装着スペースを確保できない物品においても、所要感度が得られる比較的アンテナ面積の大きなＩＣタグを水密状に且つ強固に装着することができ、例えばレンタル用の小型水中ポンプの提手を装着対象とした場合、工事現場での過酷な使用においてもＩＣタグの破損や紛失を生じることがなく、また、泥やセメント等による汚損等においても、レンタル管理に必要な情報が損われることのない、ＩＣタグの装着構造を提供することにある。
【課題を解決するための手段】
【０００４】
本発明では、ＩＣタグの被装着体の上面から有底有端の陥溝を凹設し、該陥溝の溝底上にＩＣタグの支持座を傾斜状に凸設し、該支持座の上縁に沿ってＩＣタグを傾斜状に支承させ、支持座の下傾端部周辺に充填剤の流入間隙を保有させると共に上傾端部周辺に空気の排気間隙を保有させた状態により、陥溝内へ充填剤を充填させてＩＣタグの周辺を水密状にモールドしたことを最も主要な特徴とする。
【発明の効果】
【０００５】
本発明によれば、陥溝内に凸設された支持座の上縁に沿ってＩＣタグを傾斜状に支承させ、下傾端部に充填剤の流入間隙を保有させると共に上傾端部に空気の排気間隙を保有させた状態により、陥溝内へ充填剤を充填させるので、充填剤がＩＣタグの表側からその傾斜に沿って下傾端の流入間隙よりＩＣタグの裏側へ流入するのに伴い、ＩＣタグの裏側に存在する空気は上傾端の排気間隙より大気中へ排気し、空気溜りの存在しない状態で、充填剤が凝固するので、ＩＣタグは水密状に且つ強固にモールドされることになる。従ってレンタル用の小型水中ポンプの提手をＩＣタグの装着対象とした場合、提手内部に空洞部がないため強度低下を来たすことがなく、工事現場での過酷な使用においてもＩＣタグの破損や紛失を生じることがなく、また、泥やセメント等による汚損等においても、レンタル管理に必要な情報が損われることがないという利点がある。更にまた、陥溝内に支持座の凸設されていることにより充填剤の充填量が少なくて済み、充填および凝固に要する時間が短縮せられ、支持座が補強リブの役割をも果すことになって提手自体の強度が増大されるという効果もある。また、支持座に支承されるＩＣタグを鞍形に曲成することによってアンテナ面積を大きくすることが可能となる。
【発明を実施するための最良の形態】
【０００６】
小型水中ポンプの提手の上面から有底有端の陥溝を凹設し、該陥溝の溝底上にＩＣタグの支持座を傾斜状に凸設し、鞍形に曲成されたＩＣタグを支持座の上縁に沿って傾斜状に支承させ、支持座の下傾端部周辺に充填剤の流入間隙を保有させると共に上傾端部周辺に空気の排気間隙を保有させた状態により、陥溝内へ充填剤を充填させてＩＣタグの周辺を水密状にモールドする。
【実施例１】
【０００７】
小型水中ポンプの提手１の上面から有底有端の陥溝２を凹設し、該陥溝２の溝底上にＩＣタグ３の支持座４を傾斜状に凸設する。陥溝２の溝底面は水平状であっても傾斜状であってもよい。支持座４の上縁に沿って傾斜状に支承されるＩＣタグ３は、平板状であってもよいが、鞍形に曲成して表面積を増大させたものであることが望ましい。支持座４の下傾端部および上傾端部にはＩＣタグ３の位置決め用凸起５ａ，５ｂが付設され、下傾端部における位置決め用凸起５ａの両側部に充填剤の流入間隙６ａを保有させると共に上傾端部における位置決め用凸起５ｂの両側部に空気の排気間隙６ｂを保有させた状態により、例えば少量の接着剤や両面テープ等を用いてＩＣタグ３を仮留したのち、陥溝２内へ充填剤７を所定量充填する。該充填剤７はＩＣタグ３の表側からその傾斜に沿って下傾端の流入間隙６ａよりＩＣタグ３の裏側へ流入するのに伴い、ＩＣタグ３の裏側に存在する空気は上傾端の排気間隙６ｂより大気中へ排気し、空気溜りの存在しない状態で充填剤７が凝固して、ＩＣタグ３を水密状に且つ強固にモールドすることになり、支持座４が補強リブの役割をも果すことと相俟って強度に優れた提手１が構成されることになる。
【図面の簡単な説明】
【０００８】
【図１】本発明の実施対象となるポンプ提手の縦断側面図であって、上面から有底有端の陥溝が凹設され、該陥溝の溝底上にＩＣタグの支持座が傾斜状に凸設されている状態を示す。
【図２】本発明の実施対象となるポンプ提手の平面図であって、上面から有底有端の陥溝が凹設され、該陥溝の溝底上にＩＣタグの支持座が傾斜状に凸設されている状態を示す。
【図３】図１のＡ−Ａ線における断面図である。
【図４】ＩＣタグを支持座の上縁に沿って傾斜状に支承させた状態を示す縦断側面図である。
【図５】ＩＣタグを支持座の上縁に沿って傾斜状に支承させた状態を示す平面図である。
【図６】図４のＢ−Ｂ線における断面図である。
【図７】陥溝内へ充填剤を充填させてＩＣタグの周辺を水密状にモールドした状態を示す縦断側面図である。
【図８】図７のＣ−Ｃ線における断面図である。
【符号の説明】
【０００９】
１      小型水中ポンプの提手
２      陥溝
３      ＩＣタグ
４      支持座
５ａ    下傾端部における位置決め用凸起
５ｂ    上傾端部における位置決め用凸起
６ａ    充填剤の流入間隙
６ｂ    空気の排気間隙
７      充填剤
【図１】
2005201201.tif 000003
【図２】
2005201201.tif 000004
【図３】
2005201201.tif 000005
【図４】
2005201201.tif 000006
【図５】
2005201201.tif 000007
【図６】
2005201201.tif 000008
【図７】
2005201201.tif 000009
【図８】
2005201201.tif 000010